(57)【要約】【課題】開閉体を基体に閉塞してロックするロック部材を短縮しつつ、ロック時の挿入性及びロック状態での安定性の低下を抑制する。【解決手段】施錠装置６４に回動可能に設けられて鍵受け部材１９０Ａ、１９０Ｂにロックされるロックレバー９４Ａ、９４Ｂでは、先端部１６０に傾斜角度の異なる２つの傾斜面部を設け、基端側に設ける先端側傾斜面部１６６は、内枠１４の閉塞方向に対する傾斜角度（θ１）が所定の鋭角度となるように設定し、先端部１６０の基端側に設ける基端側傾斜面部１６４は、開閉体の閉塞方向に対する傾斜角度（θ２）が、先端側傾斜面部１６６よりも大きな鋭角度となるように設定する（θ１＜θ２）。【選択図】図７
2007313234.tif 000002
【特許請求の範囲】
【請求項１】
基体と、
前記基体に設けられた被ロック部材と、
前記基体に開閉可能に設けられた開閉体と、
前記開閉体に設けられ、前記基体に閉塞された開閉体をロックするためのロック手段と、
前記ロック手段に変位可能に設けられ、前記開閉体が前記基体に閉塞されるのに伴い先端部を前記被ロック部材に摺接させつつ被ロック部材から離間する方向へ変位し、開閉体が基体に閉塞されると被ロック部材に近接する方向へ変位し係合してロックされるロック部材と、
前記ロック手段に設けられ、前記ロック部材を前記被ロック部材への係合方向へ付勢する付勢手段と、
を備え、
前記ロック部材の先端部は、基端側よりも先端側の方が、前記開閉体の閉塞方向への移動量に応じたロック部材の前記被ロック部材から離間する方向への変位量が大きくなる形状とされていることを特徴とする遊技機。
【請求項２】
前記形状は、前記変位量を段階的に変化させる形状を含んでいることを特徴とする請求項１記載の遊技機。
【請求項３】
前記変位量を段階的に変化させる形状は、
前記先端部の基端側に設けられ、前記開閉体の閉塞方向に対する傾斜角度が所定の鋭角度に設定された基端側傾斜面部と、
前記先端部の先端側に設けられ、前記開閉体の閉塞方向に対する傾斜角度が前記所定の鋭角度よりも大きな鋭角度に設定されるとともに、開閉体が閉塞されるのに伴い前記被ロック部材に最初に接触する先端側傾斜面部と、
を含んで構成されていることを特徴とする請求項２記載の遊技機。
【請求項４】
前記形状は、前記変位量を徐々に変化させる形状を含んでいることを特徴とする請求項１記載の遊技機。
【請求項５】
前記変位量を徐々に変化させる形状は、
前記先端部の基端側における前記被ロック部材との接点を通る接線の開閉体の閉塞方向に対する傾斜角度が所定の鋭角度であるとともに、先端側における前記接線の前記傾斜角度が前記所定の鋭角度よりも大きな鋭角度となるよう形成された曲面部を含んで構成されていることを特徴とする請求項４記載の遊技機。
【発明の詳細な説明】
【技術分野】
【０００１】
本発明は、基体に閉塞された開閉体をロック手段によってロックする遊技機に関する。
【背景技術】
【０００２】
パチンコ機等の遊技機では、外枠等の基体に対して開閉可能に設けられた内枠（前枠）等の開閉体を施錠（ロック）するために、開閉体にロック手段としての施錠装置を設け、基体に取り付けた鍵受けに施錠装置のロックレバー（施錠鉤部）をロックさせるようにしている（例えば、特許文献１参照）。
【特許文献１】特開２００５−３３４３７８号公報
【発明の開示】
【発明が解決しようとする課題】
【０００３】
このように、施錠装置を開閉体側に配置した構成では、開閉体を開閉する際にロックレバーの先端部が基体に接触しないようにするため、ロックレバー先端の回転軌跡に基体が干渉しないよう逃げ空間（隙間）を設ける必要がある。ただし、その回転軌跡が大きくなると、例えば基体におけるロックレバーとの対応部位を削ったり、基体を薄肉化したりしなければならなくなるため、基体の強度が低下してしまう。また、近年のパチンコ機では、液晶ディスプレイ等で構成される表示装置の大型化及び内部機構の複雑化に伴う部品搭載スペースの拡大により、ロックレバー先端の逃げ空間を確保することが困難となりつつある。
【０００４】
これに対し、ロックレバーを短縮することが考えられるが、例えば、図１４（Ａ）に示されるように、ロックレバー２００の先端角部２０２を削って開閉体の閉塞方向（矢印Ｈ方向）と垂直な先端面部２０４を形成するような、先端部のみを単純に短縮した構成では、先端形状の加工誤差や施錠装置へのロックレバー２００の組付誤差によって、開閉体の閉塞時に、図１４（Ｂ）に示されるように、ロックレバー２００の先端面部２０４（垂直面）が鍵受け部材２０６に衝突するおそれがある。その場合、当然ながらロックレバー２００を鍵受け部材２０６に押し込んでロックさせる際の挿入抵抗（押し込み抵抗）は大きくなり、開閉体を閉塞するためにより大きな力が必要となってしまう。
【０００５】
また、図１５（Ａ）に示されるように、ロックレバー２１０の先端側の傾斜面部２１２の傾斜角度を変えることで、すなわち、開閉体の閉塞方向（矢印Ｈ方向）に対する傾斜面部２１２の傾斜角度αを大きくすることで先端形状を短縮した構成においては、鍵受け部材２０６に対する傾斜面部２１２の傾斜角度βが小さくなることにより、やはり、鍵受け部材２０６への挿入抵抗が大きくなって挿入性が悪化する。さらに、傾斜面部２１２の傾斜角度αを大きくすることで、ロックレバー２１０のフック部２１４の体積が小さくなり、それに伴う剛性の低下で、図１５（Ｂ）に示される鍵受け部材２０６へのロック状態での安定性やロックレバー２１０自体の耐久性も問題となる。
【０００６】
本発明は上記事実を考慮して、開閉体を基体に閉塞してロックするロック部材を短縮しつつ、ロック時の挿入性及びロック状態での安定性の低下を抑制することができる遊技機を提供することを課題とする。
【課題を解決するための手段】
【０００７】
上記課題を解決するために請求項１に記載の発明は、基体と、前記基体に設けられた被ロック部材と、前記基体に開閉可能に設けられた開閉体と、前記開閉体に設けられ、前記基体に閉塞された開閉体をロックするためのロック手段と、前記ロック手段に変位可能に設けられ、前記開閉体が前記基体に閉塞されるのに伴い先端部を前記被ロック部材に摺接させつつ被ロック部材から離間する方向へ変位し、開閉体が基体に閉塞されると被ロック部材に近接する方向へ変位し係合してロックされるロック部材と、前記ロック手段に設けられ、前記ロック部材を前記被ロック部材への係合方向へ付勢する付勢手段と、を備え、前記ロック部材の先端部は、基端側よりも先端側の方が、前記開閉体の閉塞方向への移動量に応じたロック部材の前記被ロック部材から離間する方向への変位量が大きくなる形状とされていることを特徴としている。
【０００８】
請求項１に記載の発明では、ロック手段に、例えば回動変位可能、あるいは、開閉体の閉塞方向と略直交する方向へスライド変位可能等に設けられたロック部材は、開閉体が基体に閉塞される際に、その先端部が、基体に設けられた被ロック部材に摺接しつつ、ロック部材自体が被ロック部材から離間する方向へ変位し、開閉体が基体に閉塞されると、付勢手段に付勢されて、被ロック部材に近接する方向へ変位し係合してロックされる。
【０００９】
このロック部材の被ロック部材に対するロック（係合）では、被ロック部材に摺接するロック部材の先端部は、基端側よりも先端側の方が、開閉体の閉塞方向への移動量に応じたロック部材の被ロック部材から離間する方向への変位量が大きくなる。
【００１０】
ロック部材の先端部を上記形状とすることにより、ロック部材を短縮しつつ、体積の縮小に伴う剛性の低下が抑えられ、ロック時の挿入性及びロック状態での安定性の低下を抑制することができる。
【００１１】
請求項２に記載の発明は、請求項１記載の遊技機において、前記形状は、前記変位量を段階的に変化させる形状を含んでいることを特徴としている。
【００１２】
請求項２に記載の発明では、ロック部材が被ロック部材に先端部を摺接させつつロックされる際には、ロック部材が被ロック部材から離間する方向への変位量は、開閉体の閉塞方向への移動量に応じて段階的に変化する。このように、ロック部材の先端部を、上記変位量が段階的に変化する形状とした場合には、段階数の設定（多段階）によって、ロック部材の短縮度合い、体積の縮小度合い、及び開閉体閉塞時（ロック時）の挿入性等が簡単に変更できるため、所望の設計条件に合わせるための対応が容易となる。
【００１３】
請求項３に記載の発明は、請求項２記載の遊技機において、前記変位量を段階的に変化させる形状は、前記先端部の基端側に設けられ、前記開閉体の閉塞方向に対する傾斜角度が所定の鋭角度に設定された基端側傾斜面部と、前記先端部の先端側に設けられ、前記開閉体の閉塞方向に対する傾斜角度が前記所定の鋭角度よりも大きな鋭角度に設定されるとともに、開閉体が閉塞されるのに伴い前記被ロック部材に最初に接触する先端側傾斜面部と、を含んで構成されていることを特徴としている。
【００１４】
請求項３に記載の発明では、開閉体を基体に閉塞する際は、ロック部材の先端部の先端側に設けられた先端側傾斜面部が被ロック部材に最初に接触する。この先端側傾斜面部は、開閉体の閉塞方向に対する傾斜角度が鋭角度（基端側傾斜面部にて設定された所定の鋭角度よりも大きな鋭角度）に設定されているため、ロック部材が被ロック部材に接触した後の開閉体の閉塞移動に対する抵抗（押し込み抵抗）が低減され、初期の閉塞操作が容易となる。また、この状態から開閉体を更に閉塞移動させ、ロック部材の先端部の基端側に設けられた基端側傾斜面部が被ロック部材に差し掛かると、ロック部材が被ロック部材から離間する方向への変位量は段階的に変化する（小さくなる）。
【００１５】
ロック部材の先端部に、このような基端側傾斜面部及び先端側傾斜面部を設けることにより、上記変位量を段階的に変化させる形状を簡単な構成で実現できる。
【００１６】
請求項４に記載の発明は、請求項１記載の遊技機において、前記形状は、前記変位量を徐々に変化させる形状を含んでいることを特徴としている。
【００１７】
請求項４に記載の発明では、ロック部材が被ロック部材に先端部を摺接させつつロックされる際には、ロック部材が被ロック部材から離間する方向への変位量は、開閉体の閉塞方向への移動量に応じて徐々に変化する。このように、ロック部材の先端部を、変位量が徐々に変化する形状とした場合には、開閉体閉塞時（ロック時）の円滑な挿入性を確保しつつ、ロック部材の短縮度合い、体積の縮小度合い等を所望の設計条件に容易に設定できるようになる。
【００１８】
請求項５に記載の発明は、請求項４記載の遊技機において、前記変位量を徐々に変化させる形状は、前記先端部の基端側における前記被ロック部材との接点を通る接線の開閉体の閉塞方向に対する傾斜角度が所定の鋭角度であるとともに、先端側における前記接線の前記傾斜角度が前記所定の鋭角度よりも大きな鋭角度となるよう形成された曲面部を含んで構成されていることを特徴としている。
【００１９】
請求項５に記載の発明では、開閉体を基体に閉塞する際は、ロック部材の先端部に設けられた曲面部の先端側が被ロック部材に最初に接触する。この曲面部の先端側は、被ロック部材との接点を通る接線の、開閉体の閉塞方向に対する傾斜角度が鋭角度（曲面部の先端側における同接線の同傾斜角度である所定の鋭角度よりも大きな鋭角度）であるため、ロック部材が被ロック部材に接触した後の開閉体の閉塞移動に対する抵抗（押し込み抵抗）が低減され、初期の閉塞操作が容易となる。また、この状態から開閉体を更に閉塞移動させると、被ロック部材に対して曲面部は先端側から基端側に掛けて摺接し、この間の摺動では、ロック部材が被ロック部材から離間する方向への変位量は徐々に変化する（小さくなる）。
【００２０】
ロック部材の先端部に、このような曲面部を設けることにより、上記変位量を徐々に変化させる形状を簡単な構成で実現できる。
【発明の効果】
【００２１】
本発明の遊技機によれば、開閉体を基体に閉塞してロックするロック部材を短縮しつつ、ロック時の挿入性及びロック状態での安定性の低下を抑制することができる。
【発明を実施するための最良の形態】
【００２２】
以下、本発明の実施形態に係る遊技機について図面を参照して説明する。
【００２３】
（第１の実施形態／パチンコ機の構成）
図１〜図４に示されるように、本発明の第１の実施形態に係るパチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図４参照）、内枠１４の下側となる外枠１２の前面下端部には、パチンコ機１０の前面下端部を構成する合成樹脂製の下飾り１６が取り付けられている。
【００２４】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図４参照）。
【００２５】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域ＰＡが、パチンコ機１０の正面側から窓部２４のガラス板２６を通して視認可能とされている。
【００２６】
ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２７】
内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して発射装置６０（図２及び図４参照）へ供給する上皿４２が突設され、ベース４１の前面下部における上皿４２の左下に、上皿４２に貯留しきれない遊技球を貯留するための下皿４４が突設されている。
【００２８】
上皿４２は、底面が正面視にて右側から左側へ向けて下り傾斜しており、傾斜方向下流側となる底面の左側に、上皿４２内に貯留された遊技球を１列に整列して、ベース４１の裏面に取り付けられた球送り装置４５（図４参照）へ誘導する整列通路４６が設けられている。ベース４１によって構成された上皿４２の奥壁面における右側端部には、内枠１４の裏面に設けられた払出装置６２（図２参照）から払い出された貸し球や賞球が排出される球排出口４８が形成されており、下皿４４の奥壁面における右側端部には、上皿４２に貯留しきれない遊技球が排出される球排出口４９が形成されている。
【００２９】
この皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００３０】
図４に示されるように、ベース４１の裏面における略中央部には、上皿４２に貯留しきれない遊技球を下皿４４へ流下させる球通路７０が設けられており、球通路７０よりも回転支軸側（図４の裏面視では右側）には、球送り装置４５が取り付けられている。球通路７０は、上端部に通路入口７２が形成され、下端部に形成された通路出口が球排出口４９とされている（図３参照）。
【００３１】
一方、内枠１４の前面下部における皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３２】
貯球タンク７４は、上面が開口した箱型とされ、タンク底面が正面視にて左側から右側へ向けて下り傾斜している。タンク底面の傾斜方向上流側となる左側面には、払出装置６２の球払出口と連通されたタンク入口が形成されており（何れも図示省略）、傾斜方向下流側となる右側の前面には、上皿４２の球排出口４８に対応するタンク出口７６が形成されている。また、貯球タンク７４の前面左側端部には、タンク内の遊技球貯留量が満タンになった際に遊技球が溢れ出す、矩形状に切り欠かれたタンクオーバーフロー部７８が形成されている。
【００３３】
図２及び図４に示されるように、内枠１４の裏面における開放側（裏面視左側）の側端部には、内枠１４及びガラス枠２２をロック（施錠）するためのロック手段としての施錠装置６４が取り付けられており、施錠装置６４の下側には、皿ユニット４０をロックするためのロック装置６８が取り付けられている。
【００３４】
図６に示されるように、施錠装置６４の裏面側における上下端部近傍には、外枠１２の右内側面１２Ａに取り付けられた一対の鍵受け部材１９０Ａ、１９０Ｂ（図８〜図１０参照）に係合してロックされる一対のロックレバー９４Ａ、９４Ｂが後方へ突出して設けられている。施錠装置６４の前面側には、ガラス枠２２の裏面における開放側の上下角部近傍に設けられた一対の鍵受け部２３Ａ、２３Ｂに係合してロックされる一対のロックレバー９６Ａ、９６Ｂが設けられており、このロックレバー９６Ａ、９６Ｂは、内枠１４の開放側端部に形成されたスリット９７Ａ、９７Ｂを通して前方へ突出している。また、ロック装置６８の前面側における上下端部近傍には、皿ユニット４０の裏面における開放側の上下角部近傍に設けられた一対のロックレバー９９Ａ、９９Ｂが係合してロックされる一対の鍵受け部９８Ａ、９８Ｂが上下方向にスライド可能に設けられている。
【００３５】
そして、内枠１４を外枠１２に閉塞すると、外枠１２の鍵受け部材１９０Ａ、１９０Ｂに施錠装置６４のロックレバー９４Ａ、９４Ｂが係合し、内枠１４は外枠１２に施錠（ロック）される。ガラス枠２２を内枠１４に閉塞すると、ガラス枠２２の鍵受け部２３Ａ、２３Ｂが施錠装置６４のロックレバー９６Ａ、９６Ｂに係合し、ガラス枠２２は内枠１４に施錠（ロック）される。さらに、皿ユニット４０を内枠１４に閉塞すると、皿ユニット４０のロックレバー９９Ａ、９９Ｂがロック装置６８の鍵受け部９８Ａ、９８Ｂに係合し、皿ユニット４０は内枠１４にロックされる。
【００３６】
また、施錠装置６４の下部に設けられたシリンダー錠（錠前）６６は、皿ユニット４０の前面右上から露出しており、このシリンダー錠６６の鍵孔６７に鍵（図示省略）を差し込んで解錠操作すると、外枠１２に施錠された内枠１４は、鍵受け部材１９０Ａ、１９０Ｂに対するロックレバー９４Ａ、９４Ｂのロック解除（解錠）によって開放可能となり、内枠１４に施錠されたガラス枠２２は、鍵受け部２３Ａ、２３Ｂに対するロックレバー９６Ａ、９６Ｂのロック解除（解錠）によって開放可能となる。さらに、ガラス枠２２を開放すると露出されるロック装置６８のロック解除レバー６９を操作すると、内枠１４にロックされていた皿ユニット４０は、ロックレバー９９Ａ、９９Ｂに対する鍵受け部９８Ａ、９８Ｂのロック解除により開放可能となる。
【００３７】
皿ユニット４０が内枠１４に閉塞されてロック装置６８によりロックされると、発射装置６０の前側に球送り装置４５が配置され、貯球タンク７４のタンクオーバーフロー部７８の前下側に球通路７０の通路入口７２が配置され、タンク出口７６及び球排出口４８を介して貯球タンク７４と上皿４２とが連通される。
【００３８】
図２に示されるように、内枠１４の裏面における上部には、島設備から供給された遊技球を貯留するための上タンク８０及び下タンク８２が設けられている。内枠１４裏面の回転支軸側（裏面右側）の側端部には、上タンク８０及び下タンク８２に貯留された遊技球を貯球タンク７４側へ流下させる上部球通路８４及び下部球通路８６が延設されており、上部球通路８４と下部球通路８６の間に払出装置６２が取り付けられ、下部球通路８６の下側に発射装置６０が取り付けられている。また、発射装置６０の左側には、払出装置６２を制御して遊技球の払い出しを実行及び停止させる払出制御基板８８が設けられている。
【００３９】
払出制御基板８８による払出停止制御では、払出装置６２を駆動停止させて遊技球の払い出しを停止し、払出実行制御では、払出装置６２を駆動させて、上タンク８０及び下タンク８２から上部球通路８４を流下し払出装置６２に誘導された遊技球を、貸し球又は賞球として下部球通路８６へ払い出す。そして、下部球通路８６を通り貯球タンク７４へ誘導された遊技球は、貯球タンク７４内を上流側（左側）から下流側（右側）へ転動して球排出口４８から排出され、上皿４２に貯留される。さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図４の矢印Ａ）。この遊技球が遊技領域ＰＡを自重落下する過程で入賞又は外れとなることにより、遊技盤Ｇにて遊技球を用いた遊技が行われる。
【００４０】
遊技の進行に伴い、大量の遊技球が賞球として払い出されるなどし、上皿４２が満タンになると、上皿４２に貯留しきれない遊技球は貯球タンク７４に貯留される。さらに貯球タンク７４が満タンになると、貯球タンク７４に貯留しきれない遊技球はタンクオーバーフロー部７８から溢れ出す。この貯球タンク７４から溢れ出した遊技球は、通路入口７２に落下して球通路７０を流下し、球排出口４９から排出されて下皿４４に貯留される。
【００４１】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００４２】
本実施形態のパチンコ機１０では、パチンコ機本体を構成する内枠１４と、内枠１４の前面下部に開閉可能に設けられて上皿４２及び下皿４４をユニット化した皿ユニット４０とでの遊技球の主な流動経路は以上の通りであり、この内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００４３】
シャッター板９０、９２は、皿ユニット４０が閉塞されると各々下方へ移動して（図４に示される位置）、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。このシャッター板９０、９２によって、皿ユニット４０を開放した際に、貯球タンク７４及び上皿４２から遊技球が流出しないようせき止められる。
【００４４】
（施錠装置の構成）
次に、上記のパチンコ機１０に設けられた本実施形態のロック手段である施錠装置６４について詳細に説明する。
【００４５】
図５及び図６に示されるように、施錠装置６４は、上下方向に延出されたベース１００を備えている。ベース１００は、内枠１４の裏面に取り付けられる縦長矩形状の基板部１０２と、基板部１０２の左側端部から後方へ向けて略直角に屈曲形成された側板部１０４とで構成され断面略Ｌ字状とされており、側板部１０４の右側端部及び上縁部には、後方へ向けて略直角に屈曲形成された補強リブ１０４Ａ、１０４Ｂが設けられている。
【００４６】
基板部１０２の裏面における下部側には、シリンダー錠６６が２本のネジ１０６によって取り付けられている。シリンダー錠６６は、基板部１０２に形成された貫通孔１０８を通して錠本体１１０が基板部１０２の前方へ突出しており、錠本体１１０の前面に形成された鍵孔６７が皿ユニット４０の前面右上に形成された開口部を通して露出している（図１参照）。
【００４７】
錠本体１１０の後面からは回動軸１１２が突出しており、回動軸１１２の先端（後端）にはセクターギヤ１１４が取り付けられている。セクターギヤ１１４は、錠本体１１０の鍵孔６７に鍵が挿入され（図６の矢印Ｋ）、時計回転方向又は反時計回転方向へ回動操作されると、回動軸１１２とともに鍵の回動操作方向と同じ方向へ回動する（図５の矢印Ｂ方向）。
【００４８】
セクターギヤ１１４には、側板部１０４の内側面となる正面視右側面に配置された矩形平板状のラック１１６が噛み合っている。側板部１０４のラック取付部位における後部には、プレス成形による曲げ加工で断面コ字状（フック状）に形成された一対のラック保持部１１８が上下方向に所定の間隔で設けられている。ラック１１６は、後縁部が各ラック保持部１１８に嵌め入れられ、セクターギヤ１１４に噛み合わせられて側板部１０４との間に保持されることにより、側板部１０４に沿って上下方向へ摺動可能に取り付けられており、セクターギヤ１１４の回動に伴って上下方向へ摺動する（図６の矢印Ｃ方向）。
【００４９】
ラック１１６の下端部には、カシメピン１２０Ａを介してリンク１２２が連結されている。リンク１２２は、上端部に形成された縦長の長孔１２４にカシメピン１２０Ａが挿通されてラック１１６に連結されており、連結状態にてラック１１６に対し上下方向に相対移動可能とされている。
【００５０】
リンク１２２の下端部には、内枠１４を外枠１２にロックするための下側のロックレバー９４Ｂがカシメピン１２０Ｂを介して連結されている。ロックレバー９４Ｂは、ラック１１６の下方近傍に配置されるとともに、プレス成形による絞り加工で側板部１０４の内側面から突出形成された台座部１２６Ｂに、カシメピン１２０Ｃによって回動可能に取り付けられており、リンク１２２の下端部は、ロックレバー９４Ｂの基端側（前側）の上部に連結されている。
【００５１】
このロックレバー９４Ｂには、リンク１２２との連結部を構成するカシメピン１２０Ｂの前側に、ストッパー部１２８Ｂが突設されており、カシメピン１２０Ｂの下側に、右斜め上方へ鋭角に屈曲形成されたフック部１３０Ｂが設けられている。また、基板部１０２におけるロックレバー９４Ｂの下方部位には、斜め後下方へ鋭角に屈曲形成されたフック部１３２Ｂが設けられており、基板部１０２のフック部１３２Ｂとロックレバー９４Ｂのフック部１３０Ｂとの間には、引っ張りコイルスプリング１３４Ｂが取り付けられている。
【００５２】
ロックレバー９４Ｂは、この引っ張りコイルスプリング１３４Ｂのスプリング力により、カシメピン１２０Ｃを中心に図６における反時計回転方向（矢印Ｃ方向）へ付勢され、基板部１０２に形成された開口部１３６Ｂの下縁にストッパー部１２８Ｂの下縁を当接させて、図６に示される略水平姿勢に保持されており、その状態で、ロックレバー９４Ｂの先端側（後端側）上部に凹状に開口形成されたロック溝１６８Ｂが側板部１０４の後側に配置されている。
【００５３】
ラック１１６の上端部には、カシメピン１２０Ｄを介して２つのリンク１３８、１４０が互いに重ね合わせられて連結されている。
【００５４】
一方のリンク１３８は、ラック１１６との連結部（カシメピン１２０Ｄ）から上方へ向けて略垂直に延出されており、上端部には、内枠１４を外枠１２にロックするための上側のロックレバー９４Ａがカシメピン１２０Ｅを介して連結されている。ロックレバー９４Ａは、側板部１０４の上端よりも少し下方に配置されるとともに、プレス成形による絞り加工で側板部１０４の内側面から台座部１２６Ｂと同一寸法で突出形成された台座部１２６Ａに、カシメピン１２０Ｆによって回動可能に取り付けられており、リンク１３８は、上端部に形成された縦長円弧状の長孔１４２にカシメピン１２０Ｅが挿通されて、ロックレバー９４Ａの基端側（前側）に連結されている。
【００５５】
このロックレバー９４Ａには、リンク１３８との連結部を構成するカシメピン１２０Ｅの前側上部に、ストッパー部１２８Ａが突設され、回動支点を構成するカシメピン１２０Ｆの後側上部に、下向きに開口されたフック部１３０Ａが形成されている。また、側板部１０４におけるロックレバー９４Ａの上方後端部位には、右斜め上方へ鋭角に屈曲形成されたフック部１３２Ｂが設けられており、側板部１０４のフック部１３２Ａとロックレバー９４Ａのフック部１３０Ａとの間には、引っ張りコイルスプリング１３４Ａが取り付けられている。
【００５６】
ロックレバー９４Ａは、この引っ張りコイルスプリング１３４Ａのスプリング力により、カシメピン１２０Ｆを中心に図６における反時計回転方向（矢印Ｅ方向）へ付勢され、基板部１０２に形成された開口部１３６Ａの下縁にストッパー部１２８Ａの下縁を当接させて、図６に示される略水平姿勢に保持されており、その状態で、ロックレバー９４Ａの先端側（後端側）上部に凹状に開口形成されたロック溝１６８Ａが側板部１０４の後側に配置されている。
【００５７】
他方のリンク１４０は、ラック１１６との連結部（カシメピン１２０Ｄ）から上斜め後方へ向けて延出され上部が正面視右側へクランク状に屈曲されており、上端部には、カシメピン１２０Ｇを介してリンク１４４が連結されている。リンク１４４は、下端部に形成された縦長の長孔１４６にカシメピン１２０Ｇが挿通されてリンク１４０に連結されており、連結状態にてリンク１４０に対し上下方向に相対移動可能とされている。
【００５８】
リンク１４４には、リンク１４０との連結部を構成するカシメピン１２０Ｇの上側に、ガラス枠２２を内枠１４にロックするための下側のロックレバー９６Ｂがカシメピン１２０Ｈを介して連結されている。ロックレバー９６Ｂは、ラック１１６の上方近傍に配置されるとともに、基板部１０２に形成された縦長のスリット１４８Ｂを通して、先端側（前側）が基板部１０２の前面から前方へ突出され、プレス成形による絞り加工で側板部１０４の内側面から台座部１２６Ａ、１２６Ｂよりも大きく突出形成された台座部１５０Ｂに、カシメピン１２０Ｉによって回動可能に取り付けられている。また、リンク１４４は、長孔１４６の上側に形成された縦長円弧状の長孔１５２Ｂにカシメピン１２０Ｈが挿通されて、ロックレバー９６Ｂの後端部に連結されている。
【００５９】
このロックレバー９６Ｂには、回動支点を構成するカシメピン１２０Ｉの前側に、右斜め上方へ鋭角に屈曲形成されたフック部１５４Ｂが設けられている。また、基板部１０２におけるロックレバー９６Ｂの下方部位には、斜め後下方へ鋭角に屈曲形成されたフック部１５６Ｂが設けられており、基板部１０２のフック部１５６Ｂとロックレバー９６Ｂのフック部１５４Ｂとの間には、引っ張りコイルスプリング１５８Ｂが取り付けられている。
【００６０】
ロックレバー９６Ｂは、この引っ張りコイルスプリング１５８Ｂのスプリング力により、カシメピン１２０Ｉを中心に図６における反時計回転方向（矢印Ｆ方向）へ付勢され、後端部に設けられたカシメピン１２０Ｈをリンク１４４の長孔１５２Ｂの上縁に当接させて、図６に示される略水平姿勢に保持されており、その状態で、ロックレバー９６Ｂの先端側（前端側）下部に凹状に開口形成されたロック溝１６９Ｂが基板部１０２の前側に配置されている。
【００６１】
リンク１４４の上端部には、ガラス枠２２を内枠１４にロックするための上側のロックレバー９６Ａがカシメピン１２０Ｊを介して連結されている。ロックレバー９６Ａは、下側のロックレバー９６Ｂと同一構成であり、側板部１０４の上端部に配置されるとともに、基板部１０２に形成された縦長のスリット１４８Ａを通して、先端側（前側）が基板部１０２の前面から前方へ突出され、プレス成形による絞り加工で側板部１０４の内側面から台座部１５０Ｂと同一寸法で突出形成された台座部１５０Ａに、カシメピン１２０Ｋによって回動可能に取り付けられている。また、リンク１４４は、上端部に形成された縦長円弧状の長孔１５２Ａにカシメピン１２０Ｊが挿通されて、ロックレバー９６Ａの後端部に連結されている。
【００６２】
このロックレバー９６Ａには、回動支点を構成するカシメピン１２０Ｋの前側に、右斜め上方へ鋭角に屈曲形成されたフック部１５４Ａが設けられている。また、基板部１０２におけるロックレバー９６Ａの下方部位には、斜め後下方へ鋭角に屈曲形成されたフック部１５６Ａが設けられており、基板部１０２のフック部１５６Ａとロックレバー９６Ａのフック部１５４Ａとの間には、引っ張りコイルスプリング１５８Ａが取り付けられている。
【００６３】
ロックレバー９６Ａは、この引っ張りコイルスプリング１５８Ａのスプリング力により、カシメピン１２０Ｋを中心に図６における反時計回転方向（矢印Ｇ方向）へ付勢され、後端部に設けられたカシメピン１２０Ｊをリンク１４４の長孔１５２Ａの上縁に当接させて、図６に示される略水平姿勢に保持されており、その状態で、ロックレバー９６Ａの先端側（前端側）下部に凹状に開口形成されたロック溝１６９Ａが基板部１０２の前側に配置されている。
【００６４】
また、本実施形態の施錠装置６４に設けられた内枠用のロックレバー９４Ａ、９４Ｂは、先端部が以下に説明する形状とされている。なお、本実施形態のロックレバー９４Ａ、９４Ｂは、それぞれの先端部が同一構成であるため、ここでは上側のロックレバー９４Ａを用いてその先端部の形状（構成）を説明する。
【００６５】
図７に示されるように、施錠装置６４の側板部１０４から後方へと突出されたロックレバー９４Ａは、前述したロック溝１６８Ａが形成されることで先端部１６０がフック状とされている。この先端部１６０の先端面部１６２は、内枠１４の閉塞方向（矢印Ｈ方向）に対して略垂直とされ、先端部１６０の下角部１６３及び上角部１６７が略円弧面状とされている。
【００６６】
先端部１６０における先端面部１６２と、ロック溝１６８Ａ（上角部１６７）との間には、傾斜角度の異なる２つの傾斜面部が連続して設けられており、先端部１６０の基端側に設けられた先端側傾斜面部１６６は、内枠１４の閉塞方向に対する傾斜角度（θ１）が所定の鋭角度に設定され、先端部１６０の基端側に設けられた基端側傾斜面部１６４は、開閉体の閉塞方向に対する傾斜角度（θ２）が、先端側傾斜面部１６６よりも大きな鋭角度に設定されている（θ１＜θ２）。
【００６７】
また、先端側傾斜面部１６６における先端（下端）は、鍵受け部材１９０Ａの下縁１９２よりも下方に位置しており、鍵受け部材１９０Ａの下縁１９２と、先端側傾斜面部１６６の先端との間には所定の間隔Ｙ１が設けられている。
【００６８】
本実施形態の施錠装置６４は以上の構成とされており、この施錠装置６４は、前述したように、ベース１００の基板部１０２が図示しないネジで内枠１４裏面の開放側端部に取り付けられている。また、その取付状態では、図４に示されるように、前方へ突出されたガラス枠用のロックレバー９６Ａ、９６Ｂが、内枠１４に形成されたスリット９７Ａ、９７Ｂを通して前方へ突出されている。
【００６９】
次に、本実施形態の作用について説明する。
【００７０】
本実施形態のパチンコ機１０では、内枠１４を外枠１２に施錠する場合、内枠１４を外枠１２に閉塞すると、図９及び図１０に示されるように、内枠１４に設けられた施錠装置６４の内枠用のロックレバー９４Ａ、９４Ｂが外枠１２に設けられた鍵受け部材１９０Ａ、１９０Ｂに係合し、ロックレバー９４Ｂは引っ張りコイルスプリング１３４Ｂのスプリング力によってロックされ、ロックレバー９４Ａは引っ張りコイルスプリング１３４Ａのスプリング力によってロックされ、内枠１４は外枠１２に施錠される。
【００７１】
この外枠１２に施錠された内枠１４の解錠では、施錠装置６４に設けられたシリンダー錠６６の鍵孔６７に鍵（図示省略）を差込んで時計回転方向（図５では右回転方向）に回すと、ラック１１６が上方へスライドし、このラック１１６の上方へのスライドに連動してリンク１２２と、リンク１３８及びリンク１４０が上方へスライドする。そして、ロックレバー９４Ａ、９４Ｂはそれぞれ先端側を下降させる方向（図６では左回転方向）へ回動し、鍵受け部材１９０Ａ、１９０Ｂに対する各々のロック状態が解除されて解錠される。
【００７２】
ガラス枠２２を内枠１４に施錠する場合は、図３に示されるように、ガラス枠２２を内枠１４に閉塞すると、内枠１４に設けられた施錠装置６４のガラス枠用のロックレバー９６Ａ、９６Ｂがガラス枠２２裏面の開放側端部に設けられた鍵受け部２３Ａ、２３Ｂ（図４参照）に係合し、ロックレバー９６Ｂは引っ張りコイルスプリング１５８Ｂのスプリング力によってロックされ、ロックレバー９６Ａは引っ張りコイルスプリング１５８Ａのスプリング力によってロックされ、ガラス枠２２は内枠１４に施錠される。
【００７３】
この内枠１４に施錠されたガラス枠２２の解錠では、施錠装置６４に設けられたシリンダー錠６６の鍵孔６７に鍵（図示省略）を差込んで反時計回転方向（図５では左回転方向）に回すと、ラック１１６が下方へスライドし、このラック１１６の下方へのスライドに連動してリンク１３８及びリンク１４０が下方へスライドする。そして、ロックレバー９６Ａ、９６Ｂはそれぞれ先端側を上昇させる方向（図６では右回転方向）へ回動し、鍵受け部２３Ａ、２３Ｂに対する各々のロック状態が解除され解錠される。
【００７４】
また、例えば、内枠１４と外枠１２の隙間からピアノ線等の不正具がパチンコ機１０内に挿入され、ロックレバー９４Ａ、９４Ｂのうちの一方のロックレバーが単独で不正にロック解除操作されても、他方のロックレバーは上記のリンク機構によって一方のロックレバーに連動されずにロック状態が保持されるため、内枠１４が解錠されることを防止できる。
【００７５】
同様に、ガラス枠２２と内枠１４の隙間から不正具がパチンコ機１０内に挿入され、ロックレバー９６Ａ、９６Ｂのうちの一方のロックレバーが単独で不正にロック解除操作されても、他方のロックレバーは上記のリンク機構によって一方のロックレバーに連動されずにロック状態が保持されるため、ガラス枠２２が解錠されることを防止できる。
【００７６】
また、図８に示さるような開放状態の内枠１４が外枠１２に閉塞される際には、ロックレバー９４Ａ、９４Ｂは、先端部１６０の先端側傾斜面部１６６が鍵受け部材１９０Ａ、１９０Ｂの下縁１９２に最初に接触する。この先端側傾斜面部１６６は、内枠１４の閉塞方向（図７の矢印Ｈ方向）に対する傾斜角度（θ２）が鋭角度であるため、ロックレバー９４Ａ、９４Ｂが鍵受け部材１９０Ａ、１９０Ｂに接触した後の内枠１４の閉塞移動に対する抵抗（押し込み抵抗）が低減され、初期の閉塞操作が容易となる。また、鍵受け部材１９０Ａの下縁１９２と、先端側傾斜面部１６６の先端との間には所定の間隔Ｙ１が設けられているため、先端形状の加工誤差や施錠装置６４へのロックレバー９４Ａ、９４Ｂの組付誤差が生じても、その誤差分は間隔Ｙ１によって吸収されるため、内枠１４の閉塞時に、ロックレバー９４Ａ、９４Ｂの先端面部１６２が鍵受け部材１９０Ａ、１９０Ｂに衝突することはなく、内枠１４の円滑な閉塞が可能となる。
【００７７】
この状態から内枠１４を更に閉塞移動させると、ロックレバー９４Ａ、９４Ｂは、先端側傾斜面部１６６を鍵受け部材１９０Ａ、１９０Ｂの下縁１９２に摺接させつつ、鍵受け部材１９０Ａ、１９０Ｂから離間する方向（図７の矢印Ｉ方向）へ回動変位し、基端側傾斜面部１６４が鍵受け部材１９０Ａ、１９０Ｂに差し掛かると、鍵受け部材１９０Ａ、１９０Ｂから離間する方向への回動変位量は段階的に小さくなる。
【００７８】
そして、図９及び図１０に示さるように、内枠１４が外枠１２に閉塞されると、基端側傾斜面部１６４が鍵受け部材１９０Ａ、１９０Ｂを通り抜け、ロックレバー９４Ａ、９４Ｂは引っ張りコイルスプリング１３４Ａ、１３４Ｂに付勢されて、鍵受け部材１９０Ａ、１９０Ｂに近接する方向（図７の矢印Ｊ方向）へ回動変位し、図１１に示さるように、ロック溝１６８Ａ、１６８Ｂを鍵受け部材１９０Ａ、１９０Ｂに係合させてロックされる。
【００７９】
このロックレバー９４Ａ、９４Ｂの鍵受け部材１９０Ａ、１９０Ｂに対するロック（係合）において、鍵受け部材１９０Ａ、１９０Ｂに先端部１６０を摺接させるロックレバー９４Ａ、９４Ｂは、上述したように、先端側傾斜面部１６６よりも基端側傾斜面部１６４の方が、内枠１４の閉塞方向（図７の矢印Ｈ方向）への移動量に応じたロックレバー９４Ａ、９４Ｂの鍵受け部材１９０Ａ、１９０Ｂから離間する方向への回動変位量が小さくなる。
【００８０】
ここで、例えばロックレバー９４Ａ、９４Ｂの先端部１６０に傾斜面部が１つしか形成されていない場合、例えば基端側傾斜面部１６４と同じ傾斜角度の傾斜面部しか形成されていない場合には、図１１の二点鎖線で示されるように、ロックレバーの先端部の突出量が大きくなり、前述したような問題が発生する。
【００８１】
これに対し、本実施形態では、ロックレバー９４Ａ、９４Ｂの先端部１６０を上記形状としていることにより、すなわち、傾斜角度の異なる２つの傾斜面部（基端側傾斜面部１６４及び先端側傾斜面部１６６）を形成していることにより、ロックレバー９４Ａ、９４Ｂを短縮しつつ（上記例に対して図１１の寸法Ｘ１が短縮可能）、体積の縮小に伴う剛性の低下が抑えられ、ロック時の挿入性及びロック状態での安定性の低下を抑制することができる。
【００８２】
また、この傾斜面部の数や各傾斜角度の設定を変更することで、ロックレバー９４Ａ、９４Ｂの短縮度合い、体積の縮小度合い、及び内枠閉塞時（ロック時）の挿入性等が簡単に変更できるため、所望の設計条件に合わせるための対応が容易となる。
【００８３】
また、ロックレバー９４Ａ、９４Ｂの先端部１６０に、上記のような傾斜角度の異なる基端側傾斜面部１６４及び先端側傾斜面部１６６を設けるだけで、ロックレバー９４Ａ、９４Ｂを短縮しつつ、体積の縮小に伴う剛性の低下を抑え、ロック時の挿入性及びロック状態での安定性の低下を抑制することができる構成を簡単に実現することができる。
【００８４】
（第２の実施形態）
次に、本発明の第２の実施形態に係る施錠装置６４に設けられたロックレバーについて説明する。なお、本実施形態のロックレバーについては、上述した第１の実施形態に係るロックレバー９４Ａ、９４Ｂと同一構成には同一符号を付してその説明を省略する。
【００８５】
図１２に示されるように、本実施形態に係るロックレバー９５Ａ、９５Ｂでは、先端部１７０に、第１実施形態のロックレバー９４Ａ、９４Ｂにおける基端側傾斜面部１６４及び先端側傾斜面部１６６に換えて、凸状の曲面部１７２が形成されている。
【００８６】
この曲面部１７２は、基端側では、鍵受け部材１９０Ａ、１９０Ｂの下縁１９２との接点（例えば接点Ｐ１）を通る接線（例えば接線Ｌ１）の内枠１４の閉塞方向（矢印Ｈ方向）に対する傾斜角度（例えば傾斜角度θ３）が所定の鋭角度であるとともに、先端側では、鍵受け部材１９０Ａ、１９０Ｂの下縁１９２との接点（例えば接点Ｐ２）を通る接線（例えば接線Ｌ２）の同閉塞方向に対する傾斜角度（例えば傾斜角度θ４）が上記所定の鋭角度よりも大きな鋭角度となるように形成されている（θ３＜θ４）。
【００８７】
また、本実施形態においても、曲面部１７２の先端（下端）は、鍵受け部材１９０Ａの下縁１９２よりも下方に位置しており、鍵受け部材１９０Ａの下縁１９２と、曲面部１７２の先端との間には所定の間隔Ｙ２が設けられている。
【００８８】
以上の構成により、本実施形態のロックレバー９５Ａ、９５Ｂでは、内枠１４が外枠１２に閉塞される際に、先端部１７０に設けられた曲面部１７２の先端側が鍵受け部材１９０Ａ、１９０Ｂの下縁１９２に最初に接触する。この曲面部１７２の先端側は、鍵受け部材１９０Ａ、１９０Ｂの下縁１９２との接点を通る接線の、内枠１４の閉塞方向（図１２の矢印Ｈ方向）に対する傾斜角度が鋭角度であるため、第１の実施形態と同様に、ロックレバー９５Ａ、９５Ｂが鍵受け部材１９０Ａ、１９０Ｂに接触した後の内枠１４の閉塞移動に対する抵抗（押し込み抵抗）が低減され、初期の閉塞操作が容易となる。
【００８９】
また、本実施形態の場合も、鍵受け部材１９０Ａの下縁１９２と、曲面部１７２の先端との間には所定の間隔Ｙ２が設けられているため、先端形状の加工誤差や施錠装置６４へのロックレバー９５Ａ、９５Ｂの組付誤差が生じても、その誤差分は間隔Ｙ２によって吸収されるため、第１の実施形態と同様に、ロックレバー９５Ａ、９５Ｂの先端面部１６２が鍵受け部材１９０Ａ、１９０Ｂに衝突せず、内枠１４を円滑に閉塞することができる。
【００９０】
この状態から内枠１４を更に閉塞移動させると、ロックレバー９５Ａ、９５Ｂは、曲面部１７２を鍵受け部材１９０Ａ、１９０Ｂの下縁１９２に摺接させつつ、鍵受け部材１９０Ａ、１９０Ｂから離間する方向（図１２の矢印Ｉ方向）へ回動変位する。また、内枠１４を更に閉塞移動に伴う鍵受け部材１９０Ａ、１９０Ｂに対する曲面部１７２の摺接では、曲面部１７２の先端側よりも基端側の方が、内枠１４の閉塞方向（図１２の矢印Ｈ方向）への移動量に応じたロックレバー９５Ａ、９５Ｂの鍵受け部材１９０Ａ、１９０Ｂから離間する方向への回動変位量が小さくなる。
【００９１】
そして、内枠１４が外枠１２に閉塞されると、曲面部１７２が鍵受け部材１９０Ａ、１９０Ｂを通り抜け、ロックレバー９５Ａ、９５Ｂは鍵受け部材１９０Ａ、１９０Ｂに近接する方向（図１２の矢印Ｊ方向）へ回動変位し、図１３に示さるように、ロック溝１６８Ａ、１６８Ｂを鍵受け部材１９０Ａ、１９０Ｂに係合させてロックされる。
【００９２】
このように、ロックレバー９５Ａ、９５Ｂの先端部１７０に上記の曲面部１７２を形成した本実施形態の構成においても、ロックレバー９５Ａ、９５Ｂを短縮できるとともに（図１３の寸法Ｘ２が短縮可能）、体積の縮小に伴う剛性の低下が抑えられ、ロック時の挿入性及びロック状態での安定性の低下を抑制することができる。
【００９３】
また、内枠１４の閉塞移動に応じたロックレバー９５Ａ、９５Ｂの回動変位量が徐々に変化する本実施形態の曲面部１７２であれば、内枠閉塞時（ロック時）の円滑な挿入性を確保しつつ、ロックレバー９５Ａ、９５Ｂの短縮度合い、体積の縮小度合い等を所望の設計条件に容易に設定できるようになる。
【００９４】
また、ロックレバー９５Ａ、９５Ｂの先端部に、上記のような曲面部１７２を設けるだけで、ロックレバー９５Ａ、９５Ｂを短縮しつつ、体積の縮小に伴う剛性の低下を抑え、ロック時の挿入性及びロック状態での安定性の低下を抑制することができる構成を簡単に実現することができる。
【００９５】
以上、本発明を上述した第１及び第２の実施形態により詳細に説明したが、本発明はそれらに限定されるものではなく、本発明の範囲内にて他の種々の形態が実施可能である。
【００９６】
例えば、第１の実施形態では、ロックレバー９４Ａ、９４Ｂの先端部１６０に傾斜角度の異なる２つの傾斜面部を設けているが、傾斜角度の異なる傾斜面部を３つ以上設けるようにしてもよい。また、１つのロックレバーに、第１実施形態で説明した傾斜面部と、第２実施形態で説明した曲面部とを組み合わせて設けるようにしてもよい。
【００９７】
また、第１及び第２の実施形態では、ロックレバーを回動変位させるよう構成しているが、例えば、内枠１４の閉塞方向と略直交する方向へロックレバーをスライド変位させるよう構成してもよい。また、ロックレバーのフック形状は、第１及び第２の実施形態で説明したような、上側が凹状に開口されたロック溝を備えるものに限らず、例えば、ガラス枠用のロックレバー９６Ａ、９６Ｂのように、下側が凹状に開口されたロック溝を備えるものでもよい。
【図面の簡単な説明】
【００９８】
【図１】本発明の第１の実施形態に係るパチンコ機を示す正面図である。
【図２】本発明の第１の実施形態に係るパチンコ機を示す背面図である。
【図３】本発明の第１の実施形態に係るパチンコ機を示す正面側から見た斜視図である。
【図４】本発明の第１の実施形態に係るパチンコ機のガラス枠及び皿ユニットが開放された状態を示す正面側から見た斜視図である。
【図５】本発明の第１の実施形態に係る施錠装置を示す正面図である。
【図６】本発明の第１の実施形態に係る施錠装置を示す右側面図である。
【図７】本発明の第１の実施形態に係る施錠装置に設けられたロックレバー付近を拡大して示す右側面図である。
【図８】本発明の第１の実施形態に係るパチンコ機の内枠が外枠に対して開放された状態を示す上面図である。
【図９】本発明の第１の実施形態に係るパチンコ機の内枠が外枠に対して閉塞された状態を示す上面図である。
【図１０】本発明の第１の実施形態に係るパチンコ機の内枠が外枠に対して閉塞された状態を示す右側面図である。
【図１１】本発明の第１の実施形態に係る施錠装置に設けられたロックレバーが鍵受け部材にロックされた状態を示す右側面図である。
【図１２】本発明の第２の実施形態に係る施錠装置に設けられたロックレバー付近を拡大して示す右側面図である。
【図１３】本発明の第２の実施形態に係る施錠装置に設けられたロックレバーが鍵受け部材にロックされた状態を示す右側面図である。
【図１４】（Ａ）、（Ｂ）は、従来のロックレバーを形状変更した場合の一例を模式的に示す模式図である。
【図１５】（Ａ）、（Ｂ）は、従来のロックレバーを形状変更した場合の他の例を模式的に示す模式図である。
【符号の説明】
【００９９】
１０        パチンコ機（遊技機）
１２        外枠（基体）
１４        内枠（開閉体）
６４        施錠装置（ロック手段）
９４Ａ      ロックレバー（ロック部材）
９４Ｂ      ロックレバー（ロック部材）
９５Ａ      ロックレバー（ロック部材）
９５Ｂ      ロックレバー（ロック部材）
１３４Ａ    引っ張りコイルスプリング（付勢手段）
１３４Ｂ    引っ張りコイルスプリング（付勢手段）
１６０      先端部
１６４      基端側傾斜面部
１６６      先端側傾斜面部
１７０      先端部
１７２      曲面部
１９０Ａ    鍵受け部材（被ロック部材）
１９０Ｂ    鍵受け部材（被ロック部材）
Ｌ１、Ｌ２        接線
Ｐ１、Ｐ２        接点
θ１〜θ４        傾斜角度
【図１】
2007313234.tif 000003
【図２】
2007313234.tif 000004
【図３】
2007313234.tif 000005
【図４】
2007313234.tif 000006
【図５】
2007313234.tif 000007
【図６】
2007313234.tif 000008
【図７】
2007313234.tif 000009
【図８】
2007313234.tif 000010
【図９】
2007313234.tif 000011
【図１０】
2007313234.tif 000012
【図１１】
2007313234.tif 000013
【図１２】
2007313234.tif 000014
【図１３】
2007313234.tif 000015
【図１４】
2007313234.tif 000016
【図１５】
2007313234.tif 000017